(57)【要約】【課題】複数の鑑賞者が同一内容の映像を同時に鑑賞することができる映像表示装置及び映像表示方法を提供する。【解決手段】入力される３Ｄ画像を作るための信号から３Ｄ画像信号を生成する３Ｄ画像生成手段と、前記３Ｄ画像信号と入力される２Ｄ画像信号を、３Ｄ画像を表示する第１の領域とこの第１の領域とは異なり２Ｄ画像を表示する第２の領域へと混合した混合画像信号を映像表示部へ出力する画像混合手段とを備えたことを特徴とする映像表示装置。また、入力される３Ｄ画像を作るための信号から３Ｄ画像信号を生成し、前記３Ｄ画像信号と入力される２Ｄ画像信号を、３Ｄ画像を表示する第１の領域とこの第１の領域とは異なり２Ｄ画像を表示する第２の領域へと混合した混合画像信号を映像表示部へ出力することを特徴とする映像表示方法。【選択図】  図３
2011234136.tif 000002
【特許請求の範囲】
【請求項１】
入力される３Ｄ画像を作るための信号から３Ｄ画像信号を生成する３Ｄ画像生成手段と
、
前記３Ｄ画像信号と入力される２Ｄ画像信号を、３Ｄ画像を表示する第１の領域とこの
第１の領域とは異なり２Ｄ画像を表示する第２の領域へと混合した混合画像信号を映像表
示部へ出力する画像混合手段とを
備えたことを特徴とする映像表示装置。
【請求項２】
前記３Ｄ画像を作るための信号から２Ｄ画像信号を抽出する２Ｄ画像抽出手段を更に備
え、この抽出された２Ｄ画像信号を前記画像混合手段は入力することを特徴とする請求項
１に記載の映像表示装置。
【請求項３】
前記入力される２Ｄ画像信号を前記３Ｄ画像を作るための信号へ変換する２Ｄ・３Ｄ画
像変換手段を更に備え、この変換された３Ｄ画像を作るための信号を前記３Ｄ画像生成手
段は入力することを特徴とする請求項１に記載の映像表示装置。
【請求項４】
入力される画像信号を前記入力される２Ｄ画像信号と前記３Ｄ画像を作るための信号へ
選択・分離する画像選択手段を更に備え、この３Ｄ画像を作るための信号を前記３Ｄ画像
生成手段は入力しまたこの２Ｄ画像信号を前記画像混合手段は入力することを特徴とする
請求項１に記載の映像表示装置。
【請求項５】
更に前記映像表示部を備えたことを特徴とする請求項１乃至請求項４に記載の映像表示
装置。
【請求項６】
入力される３Ｄ画像を作るための信号から３Ｄ画像信号を生成し、
前記３Ｄ画像信号と入力される２Ｄ画像信号を、３Ｄ画像を表示する第１の領域とこの
第１の領域とは異なり２Ｄ画像を表示する第２の領域へと混合した混合画像信号を映像表
示部へ出力することを特徴とする映像表示方法。
【発明の詳細な説明】
【技術分野】
【０００１】
本発明の実施形態は、２Ｄ画像と３Ｄ画像とを表示する映像表示装置及び映像表示方法
に関する。
【背景技術】
【０００２】
現在、表示面上に右眼用画像と左眼用画像との間に視差を有する３Ｄ画像を表示して立
体映像を鑑賞する映像表示装置では、３Ｄ画像のうち右眼用画像のみを鑑賞者の右目に到
達させ、かつ３Ｄ画像のうち左眼用画像のみを鑑賞者の左目に到達させる３Ｄ画像選択手
段と組み合わせて鑑賞する。この３Ｄ画像選択手段としては、例えば、眼鏡を用いること
ができ、右眼用と左眼用とで異なる回転方向の円偏光光を透過する円偏光眼鏡や、右眼用
と左眼用とが交互に、透過状態及び非透過状態へ変化する液晶シャッター眼鏡などが用い
られている。映像表示装置では、こうした３Ｄ画像選択手段に対応した３Ｄ画像生成、及
び映像表示を行う。
【０００３】
例えば、特許文献１は、視差分割方式に対応した３Ｄ画像をそのまま表示すると、微妙
にずれた２枚の映像が交互に表示する不自然な映像になるため、右眼用、左眼用の画像を
左右に配置するステレオペア画像を出力することを特徴とする。
【０００４】
しかしながら、従来の映像表示装置では、前記３Ｄ画像選択手段を使用しない状態では
、右眼用と左眼用の３Ｄ画像の二重像として認識され鑑賞に支障をきたしてしまう。前記
３Ｄ画像選択手段の使用が不可欠であり、使用の有無を含む複数の鑑賞者が同時に鑑賞す
ることができない。即ち、複数の鑑賞者が同時に鑑賞するという要望があるが、かかる要
望を実現するための手段は知られていない。
【先行技術文献】
【特許文献】
【０００５】
【特許文献１】特開２００５−３１８４２１号公報
【発明の概要】
【発明が解決しようとする課題】
【０００６】
本発明は、複数の鑑賞者が同一内容の映像を同時に鑑賞することができる映像表示装置
及び映像表示方法を提供することを目的とする。
【課題を解決するための手段】
【０００７】
上記課題を解決するために、実施形態の映像表示装置によれば、入力される３Ｄ画像を
作るための信号から３Ｄ画像信号を生成する３Ｄ画像生成手段と、前記３Ｄ画像信号と入
力される２Ｄ画像信号を、３Ｄ画像を表示する第１の領域とこの第１の領域とは異なり２
Ｄ画像を表示する第２の領域へと混合した混合画像信号を映像表示部へ出力する画像混合
手段とを備えたことを特徴とする。
【図面の簡単な説明】
【０００８】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の映像表示装置 第１の実施例を示すブロック構成図。
【図４】同実施形態の効果の例を示す図。
【図５】実施形態の映像表示装置 第２の実施例を示すブロック構成図。
【図６】実施形態の映像表示装置 第３の実施例を示すブロック構成図。
【図７】実施形態の映像表示装置 第４の実施例を示すブロック構成図。
【図８】従来の映像表示装置の実施例に用いられるブロック構成図。
【図９】従来の映像表示装置の課題を示す図。
【発明を実施するための形態】
【０００９】
以下、本発明の実施形態を説明する。
（第１の実施形態）
本発明による第１の実施形態を図１乃至図４及び図８、図９を参照して説明する。
図１は、この発明の映像表示装置を適用したデジタルテレビジョン放送受信装置１１１
の外観と、このデジタルテレビジョン放送受信装置１１１を中心として構成されるネット
ワークシステムの一例を概略的に示している。
【００１０】
すなわち、デジタルテレビジョン放送受信装置１１１は、主として、薄型のキャビネッ
ト１１２と、このキャビネット１１２を起立させて支持する支持台１１３とから構成され
ている。そして、キャビネット１１２には、例えば液晶表示パネル等でなる平面パネル型
の映像表示器１１４、スピーカ１１５、操作部１１６、リモートコントローラ１１７から
送信される操作情報を受ける受光部１１８等が設置されている。
【００１１】
また、このデジタルテレビジョン放送受信装置１１１は、ＬＡＮ（Local Area Network
）端子１２２を備えている。
このＬＡＮ端子１２２は、ハブ１２６に接続されたブロードバンドルータ１３１を介し
て、例えばインターネット等のネットワーク１３２に接続し、このネットワーク１３２を
介してコンテンツサーバ１３３や携帯電話１３４等と情報伝送を行なうために使用される
。
【００１２】
図２は、上記したデジタルテレビジョン放送受信装置１１１の主要な信号処理系を示し
ている。
すなわち、ＢＳ／ＣＳデジタル放送受信用のアンテナ２４３で受信した衛星デジタルテ
レビジョン放送信号は、入力端子２４４を介して衛星デジタル放送用のチューナ２４５ａ
に供給される。
【００１３】
チューナ２４５ａは、制御部２６１からの制御信号により所望のチャンネルの放送信号
を選局し、この選局された放送信号をＰＳＫ（Phase Shift Keying）復調器２４５ｂに出
力する。
【００１４】
ＰＳＫ復調器２４５ｂは、制御部２６１からの制御信号により、チューナ２４５ａで選
局された放送信号を復調し、所望の番組を含んだトランスポートストリームを得て、ＴＳ
復号器２４５ｃに出力する。
【００１５】
ＴＳ復号器２４５ｃは、制御部２６１からの制御信号によりトランスポートストリーム
（ＴＳ）多重化された信号のＴＳ復号処理を行い、所望の番組のデジタルの映像信号及び
音声信号をデパケットすることにより得たＰＥＳ（Packetized Elementary Stream）を信
号処理部２４７内のＳＴＤバッファ２４７ｆへ出力する。
【００１６】
また、ＴＳ復号器２４５ｃは、デジタル放送により送られているセクション情報を信号
処理部２４７内のセクション処理部２４７ｈへ出力する。
また、地上波放送受信用のアンテナ２４８で受信した地上デジタルテレビジョン放送信
号は、入力端子２４９を介して地上デジタル放送用のチューナ２５０ａに供給される。
【００１７】
チューナ２５０ａは、制御部２６１からの制御信号により所望のチャンネルの放送信号
を選局し、この選局された放送信号をＯＦＤＭ（Orthogonal Frequency Division Multip
lexing）復調器２５０ｂに出力する。
【００１８】
ＯＦＤＭ復調器２５０ｂは、制御部２６１からの制御信号により、チューナ２５０ａで
選局された放送信号を復調し、所望の番組を含んだトランスポートストリームを得て、Ｔ
Ｓ復号器２５０ｃに出力する。
【００１９】
ＴＳ復号器２５０ｃは、制御部２６１からの制御信号によりトランスポートストリーム
（ＴＳ）多重化された信号のＴＳ復号処理を行い、所望の番組のデジタルの映像信号及び
音声信号をデパケットすることにより得たＰＥＳ（Packetized Elementary Stream）を信
号処理部２４７内のＳＴＤバッファ２４７ｆへ出力する。
【００２０】
また、ＴＳ復号器２５０ｃは、デジタル放送により送られているセクション情報を信号
処理部２４７内のセクション処理部２４７ｈへ出力する。
ここで、上記信号処理部２４７は、テレビ視聴時には、ＴＳ復号器２４５ｃおよびＴＳ
復号器２５０ｃからそれぞれ供給されたデジタルの映像信号及び音声信号に対して、選択
的に所定のデジタル信号処理を施し、グラフィック処理部２５４及び音声処理部２５５に
出力している。また、信号処理部２４７は、コンテンツ再生時には、制御部２６１から入
力されたコンテンツの再生信号を選択し、所定のデジタル信号処理を施し、グラフィック
処理部２５４及び音声処理部２５５に出力している。
【００２１】
制御部２６１には、信号処理部２４７から、番組を取得するための各種データや電子番
組ガイド（ＥＰＧ）情報，番組属性情報（番組ジャンル等），字幕情報等（サービス情報
、ＳＩやＰＳＩ）が入力されている。
【００２２】
制御部２６１は、これら入力された情報からＥＰＧ，字幕を表示するため画像生成処理
を行い、この生成した画像情報をグラフィック処理部２５４へ出力する。
セクション処理部２４７ｈは、ＴＳ復号器２４５ｃ（２５０ｃ）から入力されたセクシ
ョン情報の中から、番組を取得するための各種データや電子番組ガイド（ＥＰＧ）情報，
番組属性情報（番組ジャンル等），字幕情報等（サービス情報、ＳＩやＰＳＩ）を制御部
２６１へ出力する。
【００２３】
グラフィック処理部２５４は、（１）信号処理部２４７内のＡＶデコーダ２４７ｇから
供給されるデジタルの映像信号と、（２）ＯＳＤ（On Screen Display）信号生成部２５
７で生成されるＯＳＤ信号と、（３）データ放送による画像データと、（４）制御部２６
１により生成されたＥＰＧ，字幕信号とを合成して映像処理部２５８へ出力する機能を有
する。
【００２４】
また、字幕放送による字幕を表示するとき、グラフィック処理部２５４は、制御部２６
１からの制御による字幕情報に基づき、映像信号上に字幕情報を重畳する処理を行う。
【００２５】
グラフィック処理部２５４から出力されたデジタルの映像信号は、映像処理部２５８に
供給される。この映像処理部２５８は、入力されたデジタルの映像信号を、前記映像表示
器１１４で表示可能なフォーマットのアナログ映像信号に変換した後、映像表示器１１４
に出力して映像表示させるとともに、出力端子２５９を介して外部に導出させる。
【００２６】
また、上記音声処理部２５５は、入力されたデジタルの音声信号を、前記スピーカ１１
５で再生可能なフォーマットのアナログ音声信号に変換した後、スピーカ１１５に出力し
て音声再生させるとともに、出力端子２６０を介して外部に導出させる。
【００２７】
ここで、このデジタルテレビジョン放送受信装置１１１は、上記した各種の受信動作を
含むその全ての動作を制御部２６１によって統括的に制御されている。この制御部２６１
は、ＣＰＵ（Central Processing Unit）等を内蔵しており、前記操作部１１６からの操
作情報を受け、または、リモートコントローラ１１７から送出された操作情報を、前記受
光部１１８を介して受信し、その操作内容が反映されるように各部をそれぞれ制御してい
る。
【００２８】
この場合、制御部２６１は、主として、そのＣＰＵが実行する制御プログラムを格納し
たＲＯＭ（Read Only Memory）２６１ａと、該ＣＰＵに作業エリアを提供するＲＡＭ（Ra
ndom Access Memory）２６１ｂと、各種の設定情報及び制御情報等が格納される不揮発性
メモリ２６１ｃとを利用している。
【００２９】
さらに、上記制御部２６１は、通信Ｉ／Ｆ２７０を介してＬＡＮ端子１２２に接続され
ている。これにより、制御部２６１は、ＬＡＮ端子１２２に接続された各機器（図１参照
）と、通信Ｉ／Ｆ２７０を介して情報伝送することができる。
【００３０】
ここで従来の映像表示装置の構成について説明する。図８に示すように、映像表示部の
表示方法に合わせて３Ｄ画像を生成する３Ｄ画像生成手段１０１と、映像表示部１０２か
ら構成されている。映像表示部１０２は、３Ｄ画像生成手段１０１の出力を表示し、表示
された３Ｄ画像のうち右眼用画像のみを鑑賞者の右目に到達させ、かつ３Ｄ画像のうち左
眼用画像のみを鑑賞者の左目に到達させる３Ｄ画像選択手段と組み合わせて鑑賞する。こ
の３Ｄ画像選択手段としては、例えば、眼鏡を用いることができ、右眼用と左眼用とで異
なる回転方向の円偏光光を透過する円偏光眼鏡や、右眼用と左眼用とが交互に、透過状態
及び非透過状態へ変化する液晶シャッター眼鏡などが用いられる。これら３Ｄ画像選択手
段と組み合わされる映像表示部に対応した３Ｄ画像を３Ｄ画像生成手段１０１で生成する
。前記の例であれば、表示部前面に張られた円偏光シートの並びに合わせて、右眼用と左
眼用の３Ｄ画像を並べたり、液晶シャッター眼鏡の開閉タイミングに同期して右眼用と左
眼用の３Ｄ画像を交互に出力する方法が考えられる。
【００３１】
次に、従来の映像表示装置における課題を説明する。図９に示すように、従来の映像表
示装置では、前記３Ｄ画像選択手段を使用しない状態であると、右眼用と左眼用の３Ｄ画
像の二重像として認識され鑑賞に支障をきたしてしまう。前記３Ｄ画像選択手段の使用が
不可欠であり、使用無しの鑑賞者も同時に鑑賞することができない。
【００３２】
そこで本実施形態では、前記３Ｄ画像選択手段を使用しなくても鑑賞が可能な通常の画
像と、立体視のための３Ｄ画像を同時に表示することにより、前記３Ｄ画像選択手段の装
着の有無に係わらず複数の鑑賞者が同時に同じコンテンツの画像を鑑賞することができる
映像表示装置について以下に説明する。
【００３３】
実施形態の映像表示装置の第１の構成について説明する。図３に示すように、入力３Ｄ
画像信号から映像表示部の表示方法に合わせて３Ｄ画像を生成する３Ｄ画像生成手段２０
１と、入力３Ｄ画像より２Ｄ画像として鑑賞可能な情報を抽出する２Ｄ画像抽出手段２０
２と、前記作成された３Ｄ画像及び、抽出２Ｄ画像のそれぞれを所望のサイズに変換する
スケーリング手段２０３、２０４と、前記サイズ変換されたそれぞれの画像信号を同一画
像内に混合する画像混合手段２０５と、前記画像混合手段により作成された画像を表示す
る映像表示部２０６から構成されている。
【００３４】
次に、図３の構成の動作について説明する。入力３Ｄ画像信号（前記３Ｄ画像情報を含
んだ画像信号）は、３Ｄ画像生成手段２０１に入力され、前述したように３Ｄ画像選択手
段と組み合わされる映像表示部に対応した３Ｄ画像を生成する。また、入力３Ｄ画像信号
は２Ｄ画像抽出手段２０２にも入力され、３Ｄ画像信号より２Ｄ画像として鑑賞が可能な
画像情報を抽出する。例えば、画面半分サイズの右眼用と左眼用それぞれの２Ｄ画像を、
左右に並べて１枚の３Ｄ画像信号とするSide-By-Side方式では、左右いずれかの２Ｄ画像
を選択して出力したり、２Ｄ画像と奥行き情報により構成される３Ｄ画像信号では、奥行
き情報を除いた２Ｄ画像のみ情報として出力したりする方法が挙げられる。作成された３
Ｄ画像及び２Ｄ画像は、スケーリング手段２０３、２０４にそれぞれ入力して所望のサイ
ズに変換した後、画像混合手段２０５にて混合し1枚の表示画像を生成し、映像表示部２
０６にて表示する。このときそれぞれの画像サイズ、混合のための画像配置は任意に設定
できるものとする。この画像配置は重なりを伴ったものでもよい。
【００３５】
この構成による効果を図４に示す。入力３Ｄ画像信号（図４（ａ））に対し、左目用画
像（図４（ｂ））と右目用画像（図４（ｃ））とが分離される。これら分離された画像か
ら生成される立体視可能な３Ｄ画像（図４（ｄ））がスケーリングされた画像（図４（ｅ
））と、同内容のスケーリングされた２Ｄ画像（図４（ｆ））が同時に表示（図４（ｇ）
）されているため、前記３Ｄ画像選択手段の使用の有無に係わらず、複数の鑑賞者が同時
に鑑賞することができる。
【００３６】
この同時に表示される画像は、左右に並置されずその他の配置となっていてもよい。ま
た、前記スケーリング手段にて設定される画像サイズは互いに異なっていてもよい。
【００３７】
（第２の実施形態）
次に、本発明による第２の実施形態を図１乃至図２及び図５を参照して説明する。実施
形態１と共通する部分は説明を省略する。
図５の実施形態の映像表示装置の第２の構成について説明する。図５に示すように、入
力２Ｄ画像信号から３Ｄ画像信号を生成する２Ｄ・３Ｄ画像変換手段３０１と、生成され
た３Ｄ画像から映像表示部の表示方法に合わせて３Ｄ画像を生成する３Ｄ画像生成手段３
０２と、前記作成された３Ｄ画像及び、入力２Ｄ画像信号のそれぞれを所望のサイズに変
換するスケーリング手段３０３、３０４と、前記サイズ変換されたそれぞれの画像信号を
同一画像内に混合する画像混合手段３０５と、前記画像混合手段により作成された画像を
表示する映像表示部３０６から構成されている。
【００３８】
次に、図５の構成の動作について説明する。入力２Ｄ画像信号は映像信号は、２Ｄ・３
Ｄ画像変換手段３０１に入力され立体視鑑賞用３Ｄ画像信号が生成される。例えば画像の
動き情報や、画像の特徴からパターンマッチングにより奥行き情報を算出する方法などが
挙げられる。生成された３Ｄ画像信号は３Ｄ画像生成手段３０２に入力され、前述したよ
うに３Ｄ画像選択手段と組み合わされる映像表示部に対応した３Ｄ画像を生成する。作成
された３Ｄ画像及び入力２Ｄ画像信号は、スケーリング手段３０３、３０４にそれぞれ入
力して所望のサイズに変換した後、画像混合手段３０５にて混合し１枚の表示画像を生成
し、映像表示部３０６にて表示する。このときそれぞれの画像サイズ、混合のための画像
配置は任意に設定できるものとする。この構成により本提案の映像表示装置の第１の構成
と同等の効果が得られる。
【００３９】
（第３の実施形態）
次に、本発明による第３の実施形態を図１乃至図２及び図６を参照して説明する。実施
形態１、２と共通する部分は説明を省略する。
図６の実施形態の映像表示装置の第３の構成について説明する。図６に示すように、同
一の映像内容を表す２Ｄ及び３Ｄ画像信号の双方が含められたデータから、２Ｄ及び３Ｄ
それぞれの画像信号を分割する画像選択手段４０１と、分離された３Ｄ画像信号から映像
表示部の表示方法に合わせて３Ｄ画像を生成する３Ｄ画像生成手段４０２と、前記作成さ
れた３Ｄ画像及び、２Ｄ画像信号のそれぞれを所望のサイズに変換するスケーリング手段
４０３、４０４と、前記サイズ変換されたそれぞれの画像信号を同一画像内に混合する画
像混合手段４０５と、前記画像混合手段により作成された画像を表示する映像表示部４０
６から構成されている。
【００４０】
次に、図６の構成の動作について説明する。メディアなどに記録する際は、環境に応じ
て２Ｄ画像信号もしくは３Ｄ画像信号を鑑賞者が選択できるように、双方記録する方式が
取られる可能性がある。画像選択手段４０１ではこの２Ｄ画像と３Ｄ画像の双方を取得し
、後段の処理に分岐して渡す。３Ｄ画像は３Ｄ画像生成手段４０２に入力され、前述した
ように３Ｄ画像選択手段と組み合わされる映像表示部に対応した３Ｄ画像を生成する。作
成された３Ｄ画像及び２Ｄ画像は、スケーリング手段４０３、４０４にそれぞれ入力して
所望のサイズに変換した後、画像混合手段４０５にて混合し１枚の表示画像を生成し、映
像表示部４０６にて表示する。このときそれぞれの画像サイズ、混合のための画像配置は
任意に設定できるものとする。この構成により本提案の映像表示装置の第１の構成と同等
の効果が得られる。
【００４１】
（第４の実施形態）
次に、本発明による第４の実施形態を図１乃至図２及び図７を参照して説明する。実施
形態１〜３と共通する部分は説明を省略する。
図７の実施形態の映像表示装置の第４の構成について説明する。図７に示すように、入
力３Ｄ画像信号から映像表示部の表示方法に合わせて３Ｄ画像を生成する３Ｄ画像生成手
段５０１と、入力３Ｄ画像より２Ｄ画像として鑑賞可能な情報を抽出する２Ｄ画像抽出手
段５０２と、前記作成された３Ｄ画像及び、抽出２Ｄ画像のそれぞれを所望のサイズに変
換するスケーリング手段５０３、５０４と、前記サイズ変換されたそれぞれの画像信号を
同一画像内に混合する画像混合手段５０５と、前記画像混合手段により作成された画像を
表示し、さらに入力画像よりも解像の高い高解像度映像表示部５０６から構成されている
。
【００４２】
次に、図７の構成の動作について説明する。提案する映像表示装置の第１の構成との違
いは高解像度映像表示部５０６にある。入力画像の解像度と映像表示部の解像度が同一で
ある場合、２つの画像を同時に表示するために画像混合手段５０５にて混合する前に、ス
ケーリング手段により、画像のスケーリングが必要となるが、高解像度映像表示部５０６
に表示することで、例えば映像表示部の解像度が入力画像の解像度の倍であった場合、ス
ケーリングすることなくDot-By-Dot表示が可能となる。この構成により３Ｄ画像信号に対
し、立体視可能な３Ｄ画像と、同内容の２Ｄ画像が同時に表示されているため、前記３Ｄ
画像選択手段の使用の有無に係わらず、複数の鑑賞者が同時に鑑賞することができ、さら
にスケーリングによる劣化がなく、より精細な映像を鑑賞することができる。
【００４３】
同様に、第２の構成、及び第３の構成と高解像度映像表示部を組み合わせることで、映
像表示装置の第４の構成と同等の効果が得られる。
以上の第１乃至第３の実施形態の変形例として、前記スケーリング手段にて設定される
画像サイズ、及び前記画像混合手段にて混合されるそれぞれの画像の位置は任意設定可能
とする。
【００４４】
表示面上に右眼用画像と左眼用画像との視差を有する３Ｄ画像を表示して立体映像を鑑
賞する映像表示装置において、３Ｄ画像のうち右眼用画像のみを鑑賞者の右目に到達させ
、かつ３Ｄ画像のうち左眼用画像のみを鑑賞者の左目に到達させる３Ｄ画像選択手段と組
み合わせることで立体視鑑賞することができる。ただし、従来の映像表示装置では、前記
３Ｄ画像選択手段を使用しない状態であると右眼用と左眼用の３Ｄ画像の二重像として認
識され鑑賞に支障をきたしてしまう。前記３Ｄ画像選択手段の使用が不可欠であり、使用
の有無を含む鑑賞者が同時に鑑賞することができなかった。
【００４５】
そこで実施例では、前記３Ｄ画像選択手段を使用しなくても鑑賞が可能な通常の画像と
、立体視のための３Ｄ画像を同時に表示することにより、前記３Ｄ画像選択手段の装着の
有無に係わらず複数の鑑賞者が同時に鑑賞することができる。さらに入力画像よりも解像
度の高解像度映像表示部を組み合わせることで、画像サイズ変更による劣化がなく、より
高精細な映像を鑑賞することができる。
【００４６】
効果としてまず従来は、３Ｄ画像のうち右眼用画像のみを鑑賞者の右目に到達させ、か
つ３Ｄ画像のうち左眼用画像のみを鑑賞者の左目に到達させる３Ｄ画像選択手段と組み合
わせることで立体視鑑賞することができる映像表示装置では、３Ｄ画像選択手段の一例と
して挙げられるような鑑賞用眼鏡などの装着が不可欠であり、装着の有無を含む複数の鑑
賞者が同時に鑑賞することができなかった。
【００４７】
本実施例では以下のような形態にて、前記３Ｄ画像選択手段を使用しなくても鑑賞が可
能な通常の画像と、立体視のための３Ｄ画像を同時に表示することにより、前記３Ｄ画像
選択手段の使用の有無に係わらず、複数の鑑賞者が同時に鑑賞することができる。
【００４８】
（１）入力３Ｄ画像信号から映像表示部の表示方法に合わせて３Ｄ画像を生成する３Ｄ画
像生成手段と、入力３Ｄ画像より２Ｄ画像として鑑賞可能な情報を抽出する２Ｄ画像抽出
手段と、前記作成された３Ｄ画像及び、抽出２Ｄ画像のそれぞれを所望のサイズに変換す
るスケーリング手段と、前記サイズ変換されたそれぞれの画像信号を同一画像内に混合す
る画像混合手段と、前記画像混合手段により作成された画像を表示する映像表示部を有す
る事を特徴とする映像表示装置。
【００４９】
（２）前記（１）の映像表示装置において、入力３Ｄ画像が画像Ｓｉｄｅ−Ｂｙ−Ｓｉｄ
ｅである場合に、前記２Ｄ画像抽出手段で、左右どちらか一方の画像を選択して出力する
ことを特徴とする請求項１記載の映像表示装置。
【００５０】
（３）前記（１）の映像表示装置において、入力３Ｄ画像が画像２Ｄ画像と奥行き情報に
より構成される画像である場合に、前記２Ｄ画像抽出手段で、奥行き情報を除いた２Ｄ画
像のみ出力することを特徴とする請求項１記載の映像表示装置。
【００５１】
（４）入力２Ｄ画像信号から３Ｄ画像信号を作成する２Ｄ・３Ｄ画像変換手段と、前記作
成された３Ｄ画像信号から映像表示部の表示方法に合わせて３Ｄ画像を生成する３Ｄ画像
生成手段と、前記作成された３Ｄ画像及び、入力２Ｄ画像信号のそれぞれを所望のサイズ
に変換するスケーリング手段と、前記サイズ変換されたそれぞれの画像信号を同一画像内
に混合する画像混合手段と、前記画像混合手段により作成された画像を表示する映像表示
部を有する事を特徴とする映像表示装置
【００５２】
（５）同一の映像内容を表す２Ｄ及び３Ｄ画像が含められたデータから、２Ｄ及び３Ｄそ
れぞれの画像信号を分割して出力する画像選択手段と、前記出力３Ｄ画像信号から映像表
示部の表示方法に合わせて３Ｄ画像を生成する３Ｄ画像生成手段と、前記作成された３Ｄ
画像及び、前記出力２Ｄ画像信号のそれぞれを所望のサイズに変換するスケーリング手段
と、前記サイズ変換されたそれぞれの画像信号を同一画像内に混合する画像混合手段と、
前記画像混合手段により作成された画像を表示する映像表示部を有する事を特徴とする映
像表示装置。
【００５３】
（６）入力３Ｄ画像信号から映像表示部の表示方法に合わせて３Ｄ画像を生成する３Ｄ画
像生成手段と、入力３Ｄ画像より２Ｄ画像として鑑賞可能な情報を抽出する２Ｄ画像抽出
手段と、前記作成された３Ｄ画像及び、抽出２Ｄ画像のそれぞれを所望のサイズに変換す
るスケーリング手段と、前記サイズ変換されたそれぞれの画像信号を同一画像内に混合す
る画像混合手段と、前記画像混合手段により作成された画像を表示する入力画像信号より
解像度の高い高解像度映像表示部を有する事を特徴とする映像表示装置。
【００５４】
以上説明した実施例によれば通常の画像と３Ｄ画像を同時に表示することができる。入
力画像信号が３Ｄ、２Ｄあるいはこれらの混合であるかを判定し、第１の構成、第２の構
成、及び第３の構成を適宜採用する方法を採るのもよい。この判定の手段としては例えば
放送やメディアにおけるメタデータを利用することが想定される。入力画像信号は、アン
テナ２４３以外にネットワーク１３２（CATV、IP放送など）やDVDなどのメディアに由来
するものでもよい。
【００５５】
なお、この発明は上記実施形態に限定されるものではなく、この外その要旨を逸脱しな
い範囲で種々変形して実施することができる。例えば、２Ｄ画像と３Ｄ画像とは異なる内
容のものであってもよい。また夫々複数表示する形態を採ってもよい。
【００５６】
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係わる
構成要素を適宜組み合わせても良いものである。
【符号の説明】
【００５７】
１１１…デジタルテレビジョン放送受信装置、１１２…キャビネット、１１３…支持台
、１１４…映像表示器、１１５…スピーカ、１１６…操作部、１１７…リモートコントロ
ーラ、１１８…受光部、１１９…第１のメモリカード、１２０…第２のメモリカード、１
２１…第１のＬＡＮ端子、１２２…第２のＬＡＮ端子、１２３…ＵＳＢ端子、１２４…ｉ
．ＬＩＮＫ端子、１２５，１２７，１３９…ＨＤＤ、１２６，１３５…ハブ、１２８，１
３３…コンテンツサーバ、１２９…ＤＶＤレコーダ、１３０…アナログ伝送路、１３１…
ブロードバンドルータ、１３２…ネットワーク、１３４，１３６…携帯電話、１３７…デ
ジタルカメラ、１３８…カードリーダ／ライタ、１４０…キーボード、１４１…ＡＶ−Ｈ
ＤＤ、１４２…Ｄ−ＶＨＳ、２０１…３Ｄ画像生成手段、２０２…２Ｄ画像抽出手段、２
０３…スケーリング手段、２０４…スケーリング手段、２０５…画像混合手段、２０６…
映像表示部、３０１…２Ｄ・３Ｄ画像変換手段、３０２…３Ｄ画像生成手段、３０３…ス
ケーリング手段、３０４…スケーリング手段、３０５…画像混合手段、３０６…映像表示
部、４０１…画像選択手段、４０２…３Ｄ画像生成手段、４０３…スケーリング手段、４
０４…スケーリング手段、４０５…画像混合手段、４０６…映像表示部、５０１…３Ｄ画
像生成手段、５０２…２Ｄ画像抽出手段、５０３…スケーリング手段、５０４…スケーリ
ング手段、５０５…画像混合手段、５０６…高解像度映像表示部。
【図１】
2011234136.tif 000003
【図２】
2011234136.tif 000004
【図３】
2011234136.tif 000005
【図４】
2011234136.tif 000006
【図５】
2011234136.tif 000007
【図６】
2011234136.tif 000008
【図７】
2011234136.tif 000009
【図８】
2011234136.tif 000010
【図９】
2011234136.tif 000011
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
入力される３Ｄ画像を作るための信号から右目用および左目用の画像をもった３Ｄ画像信号を生成する３Ｄ画像生成手段と、
前記３Ｄ画像信号による３Ｄ画像を第１の領域、前記３Ｄ画像信号の内、右目用および左目用の画像の一方に対応した２Ｄ画像信号による２Ｄ画像を前記第１の領域とは異なる第２の領域へと混合した混合画像信号を映像表示部へ出力する画像混合手段とを
備えたことを特徴とする映像表示装置。
【請求項２】
入力される２Ｄ画像信号を前記３Ｄ画像を作るための信号へ変換する２Ｄ・３Ｄ画像変換手段を更に備え、この変換された３Ｄ画像を作るための信号を前記３Ｄ画像生成手段は入力することを特徴とする請求項１に記載の映像表示装置。
【請求項３】
更に前記映像表示部を備えたことを特徴とする請求項１乃至請求項２に記載の映像表示装置。
【請求項４】
入力される３Ｄ画像を作るための信号から右目用および左目用の画像をもった３Ｄ画像信号を生成し、
前記３Ｄ画像信号による３Ｄ画像を第１の領域、前記３Ｄ画像信号の内、右目用および左目用の画像の一方に対応した２Ｄ画像信号による２Ｄ画像を前記第１の領域とは異なる第２の領域へと混合した混合画像信号を映像表示部へ出力することを特徴とする映像表示方法。
【手続補正２】
【補正対象書類名】明細書
【補正対象項目名】０００７
【補正方法】変更
【補正の内容】
【０００７】
上記課題を解決するために、実施形態の映像表示装置によれば、入力される３Ｄ画像を作るための信号から右目用および左目用の画像をもった３Ｄ画像信号を生成する３Ｄ画像生成手段と、前記３Ｄ画像信号による３Ｄ画像を第１の領域、前記３Ｄ画像信号の内、右目用および左目用の画像の一方に対応した２Ｄ画像信号による２Ｄ画像を前記第１の領域とは異なる第２の領域へと混合した混合画像信号を映像表示部へ出力する画像混合手段とを備えたことを特徴とする。